(57)【要約】【課題】かつらベース及びかつらにおいて、かつらの外観を自然にする。【解決手段】かつらベース１０は、網目状に形成されたかつらベース本体１１と、複数本の糸を撚り合わせることで各々線状に形成され、かつらベース本体１１の内側又は外側に対し固定された複数の撚り合わせ糸１４と、を備え、複数の撚り合わせ糸１４は、互いに交差しないように配置されている。【選択図】図１
2016003416.tif 000002
【特許請求の範囲】
【請求項１】
網目状に形成されたかつらベース本体と、
複数本の糸を撚り合わせることで各々線状に形成され、前記かつらベース本体の内側又は外側に対し固定された複数の撚り合わせ糸と、を備え、
前記複数の撚り合わせ糸は、互いに交差しないように配置されている、
ことを特徴とするかつらベース。
【請求項２】
前記複数の撚り合わせ糸のうち少なくとも１つの撚り合わせ糸は、波型に配置されていることを特徴とする請求項１記載のかつらベース。
【請求項３】
前記複数の撚り合わせ糸のうち少なくとも２つの撚り合わせ糸は、互いに平行に配置されていることを特徴とする請求項１又は請求項２記載のかつらベース。
【請求項４】
前記複数の撚り合わせ糸のうち少なくとも２つの撚り合わせ糸は、互いに間隔を隔てて配置されていることを特徴とする請求項１から請求項３のいずれか１項記載のかつらベース。
【請求項５】
前記複数の撚り合わせ糸のうち少なくとも２つの撚り合わせ糸は、前記かつらベースのうち後頭部に配置されていることを特徴とする請求項１から請求項４のいずれか１項記載のかつらベース。
【請求項６】
前記複数の撚り合わせ糸は、毛髪が前記かつらベースの前端側に向けて植毛されている撚り合わせ糸と、前記毛髪が前記かつらベースの後端側に向けて植毛されている撚り合わせ糸とが交互に少なくとも３つ並んでいることを特徴とする請求項１から請求項５のいずれか１項記載のかつらベース。
【請求項７】
請求項１から請求項６のいずれか１項記載のかつらベースと、
前記かつらベース本体及び前記複数の撚り合わせ糸に植毛された毛髪と、
を備えることを特徴とするかつら。
【発明の詳細な説明】
【技術分野】
【０００１】
本発明は、毛髪が植毛されるかつらベース、及びこのかつらベースを備えるかつらに関する。
【背景技術】
【０００２】
従来、撚り合わせ糸のみから構成されるかつらベースが知られている（例えば、特許文献１参照）。このかつらベースでは、撚り合わせ糸は、３本以上の糸を撚り合わせることで形成されている。また、撚り合わせ糸に毛髪が植毛されることで、毛髪のズレが防止され、毛髪の所望の傾きが維持される。
【０００３】
また、網目形成糸からなるネットと、網目形成糸とは異なる方向性を有する補強糸からなるネットと、を重ねたかつらベースが知られている（例えば、特許文献２参照）。このかつらベースでは、網目形成糸と補強糸との方向性が異なることで、これらに植毛された毛髪が交差して互いに支え合う。
【先行技術文献】
【特許文献】
【０００４】
【特許文献１】特開２００８−９５２４９号公報
【特許文献２】特開２０１１−２４６８３１号公報
【発明の概要】
【発明が解決しようとする課題】
【０００５】
しかしながら、撚り合わせ糸のみから構成される上記のかつらベースは、撚り合わせ糸が太くなるため、細かい網目を形成するのが困難である。そのため、密度の高い植毛をかつらベースに施すことができない。したがって、植毛密度の高いかつらが要求される場合には外観を自然にすることができない。
【０００６】
また、補強糸からなるネットを有する上記のかつらベースは、補強糸からなるネットがかさ張ることで、外観が不自然になったり、かつらの装着感が悪化したりする。更には、網目形成糸に植毛された毛髪と補強糸に植毛された毛髪とが交差し支え合うことで毛流れが阻害されるため、かつらの外観が不自然になる。
【０００７】
本発明の目的は、かつらの外観を自然にすることである。
【課題を解決するための手段】
【０００８】
１つの観点では、かつらベースは、網目状に形成されたかつらベース本体と、複数本の糸を撚り合わせることで各々線状に形成され、前記かつらベース本体の内側又は外側に対し固定された複数の撚り合わせ糸と、を備え、前記複数の撚り合わせ糸は、互いに交差しないように配置されている。
【０００９】
また、前記かつらベースにおいて、前記複数の撚り合わせ糸のうち少なくとも１つの撚り合わせ糸は、波型に配置されているとよい。
また、前記かつらベースにおいて、前記複数の撚り合わせ糸のうち少なくとも２つの撚り合わせ糸は、互いに平行に配置されているとよい。
【００１０】
また、前記かつらベースにおいて、前記複数の撚り合わせ糸のうち少なくとも２つの撚り合わせ糸は、互いに間隔を隔てて配置されているとよい。
また、前記かつらベースにおいて、前記複数の撚り合わせ糸のうち少なくとも２つの撚り合わせ糸は、前記かつらベースのうち後頭部に配置されているとよい。
【００１１】
また、前記かつらベースにおいて、前記複数の撚り合わせ糸は、毛髪が前記かつらベースの前端側に向けて植毛されている撚り合わせ糸と、前記毛髪が前記かつらベースの後端側に向けて植毛されている撚り合わせ糸とが交互に少なくとも３つ並んでいるとよい。
【００１２】
他の観点では、かつらは、前記かつらベースと、前記かつらベース本体及び前記複数の撚り合わせ糸に植毛された毛髪と、を備える。
【発明の効果】
【００１３】
本発明によれば、かつらの外観が自然になる。
【図面の簡単な説明】
【００１４】
【図１】本発明の一実施の形態に係るかつらを示す平面図である。
【図２】図１のＡ部拡大斜視図である。
【図３】本発明の一実施の形態における撚り合わせ糸を示す正面図である。
【図４】本発明の一実施の形態の第１変形例に係るかつらを示す平面図である。
【図５】本発明の一実施の形態の第２変形例に係るかつらを示す平面図である。
【発明を実施するための形態】
【００１５】
以下、本発明の実施の形態に係るかつらベース及びかつらについて、図面を参照しながら説明する。
図１は、本発明の一実施の形態に係るかつら１を示す平面図である。
【００１６】
図１に示すかつら１は、かつらベース１０と、毛髪２０と、を備える。かつら１は、かつら装着者の頭部の全体に配置される全頭かつらであってもよいし、かつら装着者の頭部の一部に配置される部分かつらであってもよい。
【００１７】
かつらベース１０は、かつらベース本体１１と、周縁部１２と、分け目部１３と、複数の撚り合わせ糸１４と、を有する。これらのかつらベース本体１１、周縁部１２、分け目部１３、及び複数の撚り合わせ糸１４には、毛髪２０が植毛されている。
【００１８】
毛髪２０は、例えば人工毛髪であるが、加工人毛などの人工毛髪以外の毛髪であってもよい。なお、図１において、毛髪２０は、かつらベース本体１１、周縁部１２、分け目部１３、及び撚り合わせ糸１４にそれぞれ１本（毛髪２０は結び目を挟んだ両側に延びるため２本に見える。）のみ図示するが、実際には、それぞれ複数本配置され、例えば密集するように位置する。
【００１９】
かつらベース本体１１は、図２（図１のＡ部拡大斜視図）に示すように、網目状に形成されている。図２では、かつらベース本体１１の網目を６角形状で示すが、網目は他の形状であってもよい。
【００２０】
周縁部１２は、かつらベース本体１１を折り返すことで形成されているか、或いは、人工皮膚などのかつらベース本体１１とは異なる部材により形成されている。
分け目部１３は、例えば人工皮膚により形成されている。なお、分け目部１３は、かつらベース本体１１と周縁同士を固定されているが、かつらベース本体１１上に固定されていてもよい。
【００２１】
なお、本実施の形態では、周縁部１２及び分け目部１３がかつらベース１０に設けられている例について説明しているが、かつらベース１０としては、かつらベース本体１１及び撚り合わせ糸１４を有するものであればよい。
【００２２】
撚り合わせ糸１４は、図３に示すように、３本の糸１４ａ〜１４ｃを撚り合わせることで線状に形成されている。このように複数本の糸１４ａ〜１４ｃを撚り合わせて撚り合わせ糸１４を形成することで、植毛された毛髪２０が複数本の糸１４ａ〜１４ｃによって保持され、立ち上がった状態などの所望の傾きを有する状態を維持することができる。なお、糸１４ａ〜１４ｃの材料は、特に制限されないが、一例としては、レーヨンやキュプラが挙げられる。また、撚り合わせる糸１４ａ〜１４ｃの本数は複数本であればよく、２本であっても４本以上であってもよい。
【００２３】
撚り合わせ糸１４は、図２に示すように、かつらベース本体１１の網目に沿うように設けられているとよい。撚り合わせ糸１４は、かつらベース本体１１の編み込み（製造）と同時にかつらベース本体１１と一体に設けてもよいし、編み込まれたかつらベース本体１１に対し撚り合わせ糸１４を後から固定してもよい。
【００２４】
複数の撚り合わせ糸１４は、かつらベース本体１１の内側（かつら装着者の頭皮側）又は外側（かつら装着者の頭皮とは反対側）に対し、固定されている。なお、撚り合わせ糸１４は、かつらベース本体１１の内側のみに位置してもよいし、かつらベース本体１１の外側のみに位置してもよいし、或いは、１本の撚り合わせ糸１４がかつらベース本体１１の内側と外側とに例えば交互に露出するように位置してもよい。
【００２５】
複数の撚り合わせ糸１４を少なくとも部分的に互いに隣接（接触）させてもよいが、複数の撚り合わせ糸１４のうち少なくとも２つの撚り合わせ糸１４は、互いに間隔を隔てて配置されていることが望ましい。
【００２６】
複数の撚り合わせ糸１４は、互いに交差しないように配置されている。また、複数の撚り合わせ糸１４が配置される位置に関しては、少なくとも２つの撚り合わせ糸１４が、かつらベース１０のうち毛髪２０のボリューム感が生じにくい後頭部に位置することが望ましいが、前頭部や側頭部や頭頂部などの他の部位に位置していてもよい。なお、かつらベース１０の後頭部は、かつら装着者の後頭部に装着される部位であるが、一例としては、全頭かつらの後ろ半分の部位や、つむじ部よりも後ろの部位などが挙げられる。
【００２７】
複数の撚り合わせ糸１４は、波型に互いに平行に配置されている。波型としては、例えば正弦波形状が望ましいが、矩形波形状、三角波形状、のこぎり波形状等の他の波型であってもよい。このように、複数の撚り合わせ糸１４のうち少なくとも１つの撚り合わせ糸１４が波型に配置されていることが望ましい。また、複数の撚り合わせ糸１４のうち少なくとも２つの撚り合わせ糸１４が互いに平行であることが望ましいが、複数の撚り合わせ糸１４は互いに平行に配置されていなくともよい。
【００２８】
なお、複数の撚り合わせ糸１４は、毛髪２０がかつらベース１０の前端側に向けて植毛されている撚り合わせ糸１４と、毛髪２０がかつらベース１０の後端側に向けて植毛されている撚り合わせ糸１４とが交互に少なくとも３つ（例えば、前端側，後端側，前端側の順に３つ若しくは後端側，前端側，後端側の順に３つ、又は、前端側，複数の後端側，前端側の順に計３つ以上若しくは後端側，複数の前端側，後端側の順に計３つ以上、又は、これらのいずれかを含む３つ以上）並んでいると、毛髪２０の毛流れを阻害せずに毛髪２０を立ち上がった状態に維持しやすくすることができる。
【００２９】
以上説明した本実施の形態では、かつらベース本体１１は、網目状に形成されている。複数の撚り合わせ糸１４は、複数本の糸１４ａ〜１４ｃを撚り合わせることで各々線状に形成され、かつらベース本体１１の内側又は外側に対し固定されている。また、複数の撚り合わせ糸１４は、互いに交差しないように配置されている。
【００３０】
そのため、撚り合わせ糸１４に植毛された毛髪２０の所望の傾きを有する状態（例えば立ち上がった状態）を維持することができる。また、撚り合わせ糸１４が網目状に交差する場合と比較して、撚り合わせ糸１４がかさ張って外観が不自然になったりかつら１の装着感が悪化したりするのを防ぐことができるとともに、撚り合わせ糸１４に植毛された毛髪２０の毛流れが阻害され外観が不自然になるのを防ぐことができる。
【００３１】
よって、本実施の形態によれば、かつら１の外観が自然になる。
また、本実施の形態では、複数の撚り合わせ糸１４のうち少なくとも１つの撚り合わせ糸１４は、波型に配置されている。そのため、撚り合わせ糸１４に植毛された隣接する毛髪２０が互いに支え合うことで、毛髪２０の毛流れを阻害せずに、毛髪２０の所望の傾きを有する状態をより一層維持することができる。また、撚り合わせ糸１４が直線状に配置されている場合と比較して、撚り合わせ糸１４に植毛された毛髪２０が目立つのを防止することができる。したがって、かつら１の外観がより一層自然になる。
【００３２】
また、本実施の形態では、複数の撚り合わせ糸１４のうち少なくとも２つの撚り合わせ糸１４は、互いに平行に配置されている。そのため、撚り合わせ糸１４に植毛された毛髪２０の所望の傾きを有する状態を特定の領域に亘って維持することができる。したがって、かつら１の外観がより一層自然になる。
【００３３】
また、本実施の形態では、複数の撚り合わせ糸１４のうち少なくとも２つの撚り合わせ糸１４は、互いに間隔を隔てて配置されている。そのため、撚り合わせ糸１４に植毛された毛髪２０の所望の傾きを有する状態を特定の領域に亘って維持することができる。したがって、かつら１の外観がより一層自然になる。
【００３４】
また、本実施の形態では、複数の撚り合わせ糸１４は、かつらベース１０のうち後頭部に配置されている。そのため、毛髪２０のボリューム感が生じにくいかつらベース１０の後頭部において、撚り合わせ糸１４に植毛された毛髪２０の所望の傾きを有する状態を維持することができる。したがって、かつら１の外観がより一層自然になる。
【００３５】
また、本実施の形態では、複数の撚り合わせ糸１４は、毛髪２０がかつらベース１０の前端側に向けて植毛されている撚り合わせ糸１４と、毛髪２０がかつらベース１０の後端側に向けて植毛されている撚り合わせ糸１４とが交互に少なくとも３つ並んでいる。そのため、毛髪２０の毛流れを阻害せずに毛髪２０を立ち上がった状態に維持しやすくすることができる。したがって、かつら１の外観がより一層自然になる。
【００３６】
図４は、本実施の形態の第１変形例に係るかつら２を示す平面図である。
本変形例のかつらベース３０は、図１に示す分け目部１３が設けられていない点において図１に示すかつらベース１０と相違する。その他は撚り合わせ糸３３の波型の周期が異なる点を除いて同様である。そのため、かつらベース３０が有するかつらベース本体３１、周縁部３２、及び撚り合わせ糸３３の説明は省略する。
【００３７】
図５は、本実施の形態の第２変形例に係るかつら３を示す平面図である。
本変形例のかつらベース４０は、撚り合わせ糸４４が波型ではなく直線状に配置されている点において図１に示すかつらベース１０と相違する。その他は同様である。
【００３８】
そのため、かつらベース４０が有するかつらベース本体４１、周縁部４２、及び分け目部４３は、図１に示すかつらベース１０が有するかつらベース本体１１、周縁部１２、及び分け目部１３と同様である。
【符号の説明】
【００３９】
１，２，３      かつら
１０      かつらベース
１１      かつらベース本体
１２      周縁部
１３      分け目部
１４      撚り合わせ糸
１４ａ，１４ｂ，１４ｃ      糸
２０      毛髪
３０      かつらベース
３１      かつらベース本体
３２      周縁部
３３      撚り合わせ糸
４０      かつらベース
４１      かつらベース本体
４２      周縁部
４３      分け目部
４４      撚り合わせ糸
【図３】
2016003416.tif 000003
【図４】
2016003416.tif 000004
【図５】
2016003416.tif 000005
【図１】
2016003416.tif 000006
【図２】
2016003416.tif 000007